【手続補正書】
【提出日】平成18年9月22日(2006.9.22)
【手続補正１】
【補正対象書類名】明細書
【補正対象項目名】０００３
【補正方法】変更
【補正の内容】
【０００３】
例えば、持続的気道陽圧法（ＣＰＡＰ）の適用のような非侵襲的陽圧換気（ＮＩＰＰＶ）法は、閉塞型睡眠時無呼吸（ＯＳＡ）のような睡眠時呼吸障害（ＳＤＢ）の治療のために使われてきた。ＮＩＰＰＶを適用する１つの装置は通常、１つの送風機、１つの空気供給管、および１つの患者インタフェースを含む。複数の鼻マスク、複数の鼻口マスク、複数の全顔マスク、および複数の鼻カニューレまたは鼻枕のような多数の様々な患者インタフェースが知られている。すべての場合、１つのヘッドギアのようなマスクを保持する特徴をもつある種の形状のものが、マスクを顔の上に位置決めしマスクを顔から圧し放そうとする加圧空気の印加によって生ずる力を相殺するために必要になる。
なお、本出願に対応する外国の特許出願においては下記の文献が発見または提出されている。
【特許文献１】米国特許第４６１６６４７号明細書
【特許文献２】米国特許第３０１３５５６号明細書
【特許文献３】米国特許第５６５７４９３号明細書
【特許文献４】米国特許第５３７２１３０号明細書
【特許文献５】米国特許第５０４６２００号明細書
【特許文献６】米国特許第４９１０８０６号明細書
【特許文献７】米国特許第３３１５６７４明細書
【特許文献８】米国特許第２３１７６０８号明細書
【特許文献９】米国特許第５０８６７６８号明細書
【特許文献１０】米国特許第６０４４８４４号明細書
【特許文献１１】米国特許第７８１５１６号明細書
【特許文献１２】米国特許第８１２７０６号明細書
【特許文献１３】米国特許第１０８１７４５号明細書
【特許文献１４】米国特許第１１９２１８６号明細書
【特許文献１５】米国特許第１６５３５７２号明細書
【特許文献１６】米国特許第２３７６８７１号明細書
【特許文献１７】米国特許第２４１５８４６号明細書
【特許文献１８】米国特許第２５７８６２１号明細書
【特許文献１９】米国特許第３５８００５１号明細書
【特許文献２０】米国特許第３７２０２３５号明細書
【特許文献２１】米国特許第３７９９１６４号明細書
【特許文献２２】米国特許第４３２８７９７号明細書
【特許文献２３】米国特許第４４６７７９９号明細書
【特許文献２４】米国特許第４５５８７１０号明細書
【特許文献２５】米国特許第４６６７９７５号明細書
【特許文献２６】米国意匠特許第２９３６１３号
【特許文献２７】米国特許第４７３９７５５号明細書
【特許文献２８】米国特許第４７９９４７７号明細書
【特許文献２９】米国特許第４８０９６９２号明細書
【特許文献３０】米国特許第４８１９６２９号明細書
【特許文献３１】米国特許第４９３８２１０号明細書
【特許文献３２】米国特許第４９３８２１２号明細書
【特許文献３３】米国特許第４９４４３１０号明細書
【特許文献３４】米国特許第４９８６２６９号明細書
【特許文献３５】米国特許第５０６３９２２号明細書
【特許文献３６】米国意匠特許第３２３９０８号
【特許文献３７】米国特許第５１０９８３９号明細書
【特許文献３８】米国特許第５１２１７４５号明細書
【特許文献３９】米国特許第５１５９９３８号明細書
【特許文献４０】米国特許第５１７８１３８号明細書
【特許文献４１】米国特許第５２３１９８３号明細書
【特許文献４２】米国特許第５２３３９７８号明細書
【特許文献４３】米国特許第５２８０７８４号明細書
【特許文献４４】米国特許第５３１１８６２号明細書
【特許文献４５】米国特許第５３２２０５７号明細書
【特許文献４６】米国特許第５３３８５７１号明細書
【特許文献４７】米国特許第５４０４８７１号明細書
【特許文献４８】米国特許第５４７９９２０号明細書
【特許文献４９】米国特許第５５０９４０４号明細書
【特許文献５０】米国特許第５５３８０００号明細書
【特許文献５１】米国特許第５５６０３５４号明細書
【特許文献５２】米国再発行特許発明第３５３３９号明細書
【特許文献５３】米国特許第５６０８６４７号明細書
【特許文献５４】米国特許第５６４２７３０号明細書
【特許文献５５】米国特許第５６４９５３２号明細書
【特許文献５６】米国特許第５６４９５３３号明細書
【特許文献５７】米国特許第５６５５５２０号明細書
【特許文献５８】米国特許第５６６２１０１号明細書
【特許文献５９】米国特許第３１８２６５９号明細書
【特許文献６０】米国特許第３１９３６２４号明細書
【特許文献６１】米国特許第４９８９５９６号明細書
【特許文献６２】米国特許第５１４０９８０号明細書
【特許文献６３】米国特許第５５４６９３６号明細書
【特許文献６４】米国特許第５５７０６８２号明細書
【特許文献６５】米国特許第５６６６９４６号明細書
【特許文献６６】米国特許第５０６９２０５号明細書
【特許文献６７】米国特許第５４２９１２６号明細書
【特許文献６８】米国特許第５６４２１２８号明細書
【特許文献６９】米国特許第１９２６０２７号明細書
【特許文献７０】米国特許第２２４８４７７号明細書
【特許文献７１】米国特許第２３７１９６５号明細書
【特許文献７２】米国特許第２４３８０５８号明細書
【特許文献７３】米国特許第３１８９０２７号明細書
【特許文献７４】米国特許第３２３８９４３号明細書
【特許文献７５】米国特許第３３６２４２０号明細書
【特許文献７６】米国特許第３３６３８３３号明細書
【特許文献７７】米国特許第３５５６１２２号明細書
【特許文献７８】米国特許第３７０００００号明細書
【特許文献７９】米国特許第３７９６２１６号明細書
【特許文献８０】米国特許第４０７７４０４号明細書
【特許文献８１】米国特許第４２２６２３４号明細書
【特許文献８２】米国特許第４２４５６３２号明細書
【特許文献８３】米国特許第４３０４２２９号明細書
【特許文献８４】米国特許第４３４７２０５号明細書
【特許文献８５】米国特許第４４１２５３７号明細書
【特許文献８６】米国特許第４５２２６３９号明細書
【特許文献８７】米国特許第４６２２９６４号明細書
【特許文献８８】米国特許第４６７１２７１号明細書
【特許文献８９】米国特許第４７７４９４１号明細書
【特許文献９０】米国特許第４８２１７１３号明細書
【特許文献９１】米国特許第４８４１９５３号明細書
【特許文献９２】米国特許第４８４８３６６号明細書
【特許文献９３】米国特許第４９１９１２８号明細書
【特許文献９４】米国特許第５００５５６８号明細書
【特許文献９５】米国特許第５０４２４７３号明細書
【特許文献９６】米国特許第５０４２４７８号明細書
【特許文献９７】米国特許第５１０９８４０号明細書
【特許文献９８】米国特許第５１３３３４７号明細書
【特許文献９９】米国特許第５１４０９８２号明細書
【特許文献１００】米国意匠特許第３３４６３３号
【特許文献１０１】米国特許第５２６５５９５号明細書
【特許文献１０２】米国特許第５２７９２８９号明細書
【特許文献１０３】米国特許第５３５７９５１号明細書
【特許文献１０４】米国特許第５４１９３１８号明細書
【特許文献１０５】米国特許第５４３１１５８号明細書
【特許文献１０６】米国特許第５４８８９４８号明細書
【特許文献１０７】米国特許第５６８５２９６号明細書
【特許文献１０８】米国特許第５６８７７１５号明細書
【特許文献１０９】米国特許第５７１５８１４号明細書
【特許文献１１０】米国特許第２１２３３５３号明細書
【特許文献１１１】米国特許第２２５４８５４号明細書
【特許文献１１２】米国特許第２９３１３５６号明細書
【特許文献１１３】米国意匠特許第１８８０８４号
【特許文献１１４】米国特許第２９３９４５８号明細書
【特許文献１１５】米国特許第３３１５６７４号明細書
【特許文献１１６】米国特許第３３３０２７３号明細書
【特許文献１１７】米国意匠特許第２３１８０３号
【特許文献１１８】米国意匠特許第２５０１３１号
【特許文献１１９】米国特許第４１６７１８５号明細書
【特許文献１２０】米国意匠特許第２６２３２２号
【特許文献１２１】米国特許第４３２８７９７号明細書
【特許文献１２２】米国特許第４３５４４８８号明細書
【特許文献１２３】米国特許第４４０２３１６号明細書
【特許文献１２４】米国特許第４６５５２１３号明細書
【特許文献１２５】米国特許第４６６５５７０号明細書
【特許文献１２６】米国特許第４６７７９７７号明細書
【特許文献１２７】米国意匠特許第２９３６１３号
【特許文献１２８】米国特許第４７７０１６９号明細書
【特許文献１２９】米国特許第４７８２８３２号明細書
【特許文献１３０】米国特許第４８４８３３４号明細書
【特許文献１３１】米国特許第４９０７５８４号明細書
【特許文献１３２】米国意匠特許第３１０４３１号
【特許文献１３３】米国特許第４９７１０５１号明細書
【特許文献１３４】米国特許第４９８９５９９号明細書
【特許文献１３５】米国特許第５００５５７１号明細書
【特許文献１３６】米国特許第５０３８７７６号明細書
【特許文献１３７】米国特許第５２４３９７１号明細書
【特許文献１３８】米国特許第５３４３８７８号明細書
【特許文献１３９】米国特許第５４２９６８３号明細書
【特許文献１４０】米国特許第５４３８９８１号明細書
【特許文献１４１】米国特許第５４４１０４６号明細書
【特許文献１４２】米国意匠特許第３６２０６１号
【特許文献１４３】米国特許第５４７７８５２号明細書
【特許文献１４４】米国特許第５４９２１１６号明細書
【特許文献１４５】米国特許第５５０１２１４号明細書
【特許文献１４６】米国特許第５５１７９８５号明細書
【特許文献１４７】米国特許第５５４０２２３号明細書
【特許文献１４８】米国特許第５５６０３６４号明細書
【特許文献１４９】米国特許第５５７０６８９号明細書
【特許文献１５０】米国意匠特許第３７７０８９号
【特許文献１５１】米国特許第５５９２９３８号明細書
【特許文献１５２】米国特許第５６４７３５５号明細書
【特許文献１５３】米国特許第５６４７３５７号明細書
【特許文献１５４】米国特許第５６５５５２７号明細書
【特許文献１５５】米国特許第５６５７７５２号明細書
【特許文献１５６】米国特許第５６６２１０１号明細書
【特許文献１５７】米国特許第２９７４６６５号明細書
【特許文献１５８】米国特許第４６２３５７３号明細書
【特許文献１５９】米国特許第４６６８３２５号明細書
【特許文献１６０】米国特許第４７０４１７２号明細書
【特許文献１６１】米国特許第４７７８７０６号明細書
【特許文献１６２】米国特許第４９６０１２１号明細書
【特許文献１６３】米国特許第５０３８７７６号明細書
【特許文献１６４】米国特許第５０７４２９７号明細書
【特許文献１６５】米国特許第５１９１８８２号明細書
【特許文献１６６】米国特許第５２６００１５号明細書
【特許文献１６７】米国特許第６４１２４８７号明細書
【特許文献１６８】米国特許第６６１５８３４号明細書
【特許文献１６９】米国特許第６６３１７１８号明細書
【特許文献１７０】オーストラリア特許出願公告第５９４３０／９４号明細書
【特許文献１７１】欧州特許出願公開第１０２０２０１号明細書
【特許文献１７２】独国特許出願公開第１９８１７３３２号明細書
【特許文献１７３】独国特許出願公開第１９９６２５１５号明細書
【特許文献１７４】国際公開第９９／０４３３７５号パンフレット
【特許文献１７５】国際公開第０２／０４７７４９号パンフレット
【特許文献１７６】米国特許第２３５３６４３号明細書
【特許文献１７７】米国特許第２３８３６４９号明細書
【特許文献１７８】米国特許第４５３７１９２号明細書
【特許文献１７９】米国特許第５４６９８６５号明細書
【特許文献１８０】米国特許第５５１８７９５号明細書
【特許文献１８１】米国特許第５５３３５２４号明細書
【特許文献１８２】米国特許第５５４２１２８号明細書
【特許文献１８３】米国特許第５５５５５６９号明細書
【特許文献１８４】米国特許第５５５８０８９号明細書
【特許文献１８５】米国特許第５７４４０８０号明細書
【特許文献１８６】米国特許第５７６３０４１号明細書
【特許文献１８７】米国特許第５９２１２３９号明細書
【特許文献１８８】米国特許第６０６２２２２号明細書
【特許文献１８９】米国特許第６１７４４７６号明細書
【特許文献１９０】米国特許第６２４８４１９号明細書
【特許文献１９１】米国特許第６４９４２０７号明細書